(57)【要約】【課題】入賞装置において、入賞口から流入した遊技球を迅速に検出可能とする。【解決手段】入賞口３７から装置本体３０内へ入賞した遊技球を検出する球検知スイッチＳは、入賞口３７に開口する装置本体３０内の入賞空間４６において、入賞口３７の遊技球が主として流入する開口端３７Ａと反対側の開口端３７Ｂ側に臨む部位に配設される。そして球検知スイッチＳは、遊技球が通過する球検出口５６を、遊技球が主として流入する開口端３７Ａ側へ向けた状態で配置されている。【選択図】図６
2013059478.tif 000002
【特許請求の範囲】
【請求項１】
遊技球が流下する遊技領域が画成された遊技盤に配設され、該遊技領域を流下する遊技球が入賞可能な入賞口を有する本体と、前記本体に前記入賞口を開閉可能に設けられた開閉手段と、前記本体内に配置され、前記入賞口から該本体内へ入賞した遊技球を検出する検出手段とを備え、所定の開放条件の成立により前記開閉手段を開動作して前記入賞口を開き、所定の閉鎖条件の成立により該開閉手段を閉動作して該入賞口を閉じるよう構成された入賞装置を備えた遊技機において、
前記入賞装置の前記検出手段は、前記入賞口に開口する前記本体内の入賞空間において、前記遊技領域から前記入賞口を介して該入賞空間内へ流入する遊技球の主たる流入方向の下流側に配置されるよう構成した
ことを特徴とする遊技機。
【請求項２】
前記入賞装置は、前記入賞口に対して、左右一方の開口端側から遊技球が主として流入するよう構成され、
前記検出手段は、前記本体内において前記入賞口の遊技球が主として流入する開口端と反対側の開口端側に臨む部位に、遊技球が通過する球検出口を、前記遊技球が主として流入する開口端側へ向けた状態で配置されている請求項１記載の遊技機。
【請求項３】
前記本体内には、前記入賞口から前記検出手段に向けて延在する案内部が設けられ、
前記入賞口から前記入賞空間へ流入した遊技球を、前記案内部で前記検出手段へ案内するよう構成した請求項１または２記載の遊技機。
【請求項４】
前記案内部は、前記入賞口の前記遊技球が主として流入する左右一方の開口端側が該入賞口に最も近く、前記検出手段に近づくにつれて該入賞口から遠ざかるように設けられている請求項３記載の遊技機。
【請求項５】
前記案内部は、前記本体内の下壁または上壁の少なくとも一方に、前記入賞空間へ突出するように設けられている請求項３または４記載の遊技機。
【発明の詳細な説明】
【技術分野】
【０００１】
本発明は、遊技球が流下する遊技領域が画成された遊技盤に配設された入賞装置を備えた遊技機に関するものである。
【背景技術】
【０００２】
代表的な遊技機であるパチンコ機は、遊技盤の前盤面に画成した遊技領域の略中央位置に枠状の装飾部材(所謂センター役物)が配設されており、この装飾部材の開口部を介して複数の図柄を変動表示する液晶式やドラム式等の図柄表示装置を後方から臨ませると共に、該遊技盤における装飾部材の下方位置に、パチンコ球(遊技球)の入賞により図柄表示装置での図柄変動を開始させる始動入賞装置や大当り時等に開放する特別入賞装置を配設するよう構成されたものが多数提案されている(特許文献１)。このようなパチンコ機では、前記遊技領域に打ち出されたパチンコ球が遊技領域内に植設された遊技釘等との接触により跳ね返りながら自重により次第に流下し、該遊技領域を流下する過程で前記始動入賞装置の入賞口に入賞することにより、前記図柄表示装置で図柄変動に伴うリーチ演出等の各種の遊技演出がなされ、該図柄表示装置に図柄が所定の組み合わせで停止することにより所謂大当り遊技や小当り遊技等の当り遊技が発現されるよう構成されている。そして、前記当り遊技の発現に伴い、遊技盤に設けられた特別入賞装置の入賞口を開閉扉が開放するラウンド遊技が行なわれて、多数の賞球を遊技者が獲得し得る機会が付与され、当り遊技の終了に伴い開閉扉が特別入賞装置の入賞口を閉鎖してパチンコ球の入賞を規制するようになっている。
【０００３】
前記特許文献１に開示された特別入賞装置(電動式入賞装置)は、入賞口が形成された本体内の入賞空間(通出室)に、該入賞口を介して該入賞空間へ入賞したパチンコ球を検出する球検出スイッチ(検出スイッチおよび特別検出スイッチ)が配設されている。これら球検出スイッチは、当該パチンコ機を総合的に制御する主制御装置に検出信号を送出するようになっており、両球検出スイッチによる球検出信号の送出数を主制御装置がカウントして、各ラウンド遊技毎に予め設定された数(例えば１０個)のパチンコ球を両球検出スイッチで検出したら、前記開閉扉を閉制御して入賞口を閉鎖するようになっている。
【先行技術文献】
【特許文献】
【０００４】
【特許文献１】特開平８−８４８１３号公報
【発明の概要】
【発明が解決しようとする課題】
【０００５】
ところで、前記特許文献１に開示された特別入賞装置は、前記本体内の入賞空間において、左右方向における中央寄りでかつ後方の奥まった位置に、球検出口が上下に開口する向きで配置されている。また、前記遊技領域に打ち出されたパチンコ球の多くは、該遊技領域における前記装飾部材の左側部分を流下するようになるため、前記特別入賞装置の左側から入賞口を介して本体の入賞空間へ流入するようになる。このため、本体の入賞空間に流入したパチンコ球は、該入賞空間の右方へ移動するので前記球検出スイッチの方向へ円滑に移動しないことがあり、入賞口から入賞空間へ流入してから該球検出スイッチにより検出されるまでにタイムラグが発生し易い。すなわち、先に入賞空間に流入した先行のパチンコ球が球検出スイッチで検出されるまでの間に、次行のパチンコ球が該入賞空間に流入する事象が発生し易く、場合によっては２〜３個のパチンコ球が流入することもあり得る。従って、特許文献１に開示された従来の特別入賞装置では、前述したように、各ラウンド遊技毎の規定数のパチンコ球を該球検出スイッチして前記開閉扉が入賞口を閉鎖する前に更にパチンコ球が流入するから、規定数以上の入賞を発生させてしまう不都合がある。また、入賞空間へ流入したパチンコ球が球検出スイッチの方向へ円滑に移動できないので、同時に複数個のパチンコ球が集中して該入賞空間内に流入した場合には、球詰まりが発生するおそれもある。
【０００６】
すなわち本発明は、従来の技術に係る遊技機に内在する前記課題に鑑み、これを好適に解決するべく提案されたものであって、入賞口から流入した遊技球を迅速に検出可能とした入賞装置を備えた遊技機を提供することを目的とする。
【課題を解決するための手段】
【０００７】
前記課題を解決し、所期の目的を達成するため、本発明の請求項１に係る発明は、
遊技球が流下する遊技領域(10)が画成された遊技盤(D)に配設され、該遊技領域(10)を流下する遊技球が入賞可能な入賞口(37)を有する本体(30)と、前記本体(30)に前記入賞口(37)を開閉可能に設けられた開閉手段(31)と、前記本体(30)内に配置され、前記入賞口(37)から該本体(30)内へ入賞した遊技球を検出する検出手段(S)とを備え、所定の開放条件の成立により前記開閉手段(31)を開動作して前記入賞口(37)を開き、所定の閉鎖条件の成立により該開閉手段(31)を閉動作して該入賞口(37)を閉じるよう構成された入賞装置(21)を備えた遊技機において、
前記入賞装置(21)の前記検出手段(S)は、前記入賞口(37)に開口する前記本体(30)内の入賞空間(46)において、前記遊技領域(10)から前記入賞口(37)を介して該入賞空間(46)内へ流入する遊技球の主たる流入方向の下流側に配置されるよう構成したことを要旨とする。
【０００８】
従って、請求項１に係る発明によれば、入賞装置の入賞口から該入賞装置の入賞空間へ流入した遊技球が検出手段の方向へ円滑に移動するようになるから、該検出手段による該遊技球の検出が迅速になされる。従って入賞装置は、予め設定された規定数の遊技球が入賞口から本体の入賞空間に流入し、該遊技球が検出手段で検出されて所定条件が成立すると開閉手段が迅速に閉動作されるため、規定数以上の遊技球が流入することを防止し得る。また、本体の入賞空間にへ複数の遊技球が同時に流入しても、遊技球が円滑に検出手段で検出されるから球詰まりが発生し難い。
【０００９】
請求項２に係る発明では、
前記入賞装置(21)は、前記入賞口(37)に対して、左右一方の開口端(37A)側から遊技球が主として流入するよう構成され、
前記検出手段(S)は、前記本体(30)内において前記入賞口(37)の遊技球が主として流入する開口端(37A)と反対側の開口端(37B)側に臨む部位に、遊技球が通過する球検出口(56)を、前記遊技球が主として流入する開口端(37A)側へ向けた状態で配置されていることを要旨とする。
従って、請求項２に係る発明によれば、入賞口に対して左右一方の開口端側から本体内へ通入した遊技球は、入賞口の前記開口端と反対側の開口端側に臨む部位へ移動するので、該反対側の開口端側に臨む部位に配置した検出手段で検出され易くなる。しかも検出手段は、遊技球が通過する球検出口を、遊技球が主として流入する開口端側へ向けた状態で配置されているから、遊技球が該球検出口をスムーズに通過して遊技球の検出が迅速になされる。
【００１０】
請求項３に係る発明では、
前記本体(30)内には、前記入賞口(37)から前記検出手段(S)に向けて延在する案内部(60)が設けられ、
前記入賞口(37)から前記入賞空間(46)へ流入した遊技球を、前記案内部(60)で前記検出手段(S)へ案内するよう構成したことを要旨とする。
従って、請求項３に係る発明によれば、入賞口から本体内に流入した遊技球が、案内部により検出手段に向けて案内される。
【００１１】
請求項４に係る発明では、
前記案内部(60)は、前記入賞口(37)の前記遊技球が主として流入する左右一方の開口端(37A)側が該入賞口(37)に最も近く、前記検出手段(S)に近づくにつれて該入賞口(37)から遠ざかるように設けられていることを要旨とする。
従って、請求項４に係る発明によれば、入賞口に対して左右一方の開口端側から本体内へ流入した遊技球が、案内部に沿って検出手段に向けて円滑に案内されるので、検出手段による遊技球の検出が迅速になされる。
【００１２】
請求項５に係る発明では、
前記案内部(60)は、前記本体(30)内の下壁または上壁の少なくとも一方に、前記入賞空間(46)へ突出するように設けられていることを要旨とする。
従って、請求項５に係る発明によれば、案内部が本体の上壁または下壁に一体に形成されるので、製造工数や部品点数が増加することがない。
【発明の効果】
【００１３】
本発明に係る遊技機によれば、入賞装置の入賞口から流入した遊技球を迅速に検出することができる。
【図面の簡単な説明】
【００１４】
【図１】本発明の実施例に係るパチンコ機を示す正面図である。
【図２】実施例に係る遊技盤を示す正面図である。
【図３】遊技盤と、該遊技盤の後側に配設される設置部材と、設置部材の後側に配設される図柄表示装置とを、前側から見た分解斜視図である。
【図４】遊技盤と、該遊技盤の後側に配設される設置部材と、設置部材の後側に配設される図柄表示装置とを、後側から見た分解斜視図である。
【図５】実施例に係る特別入賞装置を開閉扉が閉鎖位置にある状態で示す斜視図である。
【図６】実施例に係る特別入賞装置を開閉扉が開放位置にある状態で示す斜視図である。
【図７】実施例に係る特別入賞装置の平面図である。
【図８】実施例に係る特別入賞装置の正面図である。
【図９】図８のIX−IX線で破断した特別入賞装置の断面図である。
【図１０】図９のＸ−Ｘ線で破断した特別入賞装置の断面図である。
【図１１】図９のXI−XI線で破断した特別入賞装置の断面図である。
【図１２】入賞口を介して入賞空間へパチンコ球が流入する状態を示す説明図である。
【図１３】(ａ)は、変更例に係る特別入賞装置を開閉扉が開放位置にある状態で示す斜視図であり、(ｂ)は、変更例に係る特別入賞装置の正面図である。
【図１４】遊技領域の右下に特別入賞装置が配設された遊技盤の正面図である。
【発明を実施するための形態】
【００１５】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１６】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０の始動入賞口２０Ａへのパチンコ球(遊技球)の入賞)を契機として演出用の図柄を変動表示させて図柄変動演出を行なう図柄表示装置Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方には、パチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１７】
前記中枠Ｂの右下方位置には、該中枠Ｂに配設された打球発射装置(図示せず)を作動する操作ハンドルＧが設けられており、該操作ハンドルＧの操作により打球発射装置が作動されることで、前記上球皿Ｅに貯留されたパチンコ球が所定間隔(例えば、０．６秒間隔)で１球ずつ前記遊技盤Ｄに向けて連続的に発射されるようになっている。なお実施例では、前記図柄表示装置Ｈとして、各種図柄を表示可能な液晶パネルを収容ケースに収容した液晶表示装置が採用されるが(図３、図４参照)、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１８】
(遊技盤)
前記遊技盤Ｄは、図２〜図４に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には設置部材９０が配設されている。遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射されたパチンコ球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するようにしてもよい。
【００１９】
前記遊技盤Ｄには、図２〜図４に示すように、中央に大きな貫通口１４が形成され、前後に開口して遊技演出領域とされる表示窓口１５Ａが形成された枠状装飾部材１５が、該貫通口１４の開口縁に配設されている。この枠状装飾部材１５の前部には、図柄表示装置Ｈで行なわれる遊技内容に合わせた装飾が施されている。そして、前記設置部材９０に対して後側から着脱可能に配設された図柄表示装置Ｈの表示部Ｈ１や、該設置部材９０の前側に配設される第１〜第３の可動演出装置９１,９２,９３および装飾部材等が、枠状装飾部材１５の表示窓口１５Ａに臨むように配設されている。また遊技盤Ｄには、図４に示すように、前記貫通口１４の下方において、該遊技盤Ｄの左右中央に第１装着口１６が開設されると共に、該第１装着口１６の左側に第２装着口１７が開設されている。第１装着口１６には、始動入賞装置２０および特別入賞装置(入賞装置)２１が上下に配設されると共に、第２装着口１７には、４つの入賞口２２Ａが左右に配列された普通入賞具２２が配設される。なお、図２に示すように、遊技盤Ｄの前面における前記遊技領域１０内には、多数の球案内釘２３、球通過ゲート２４および回転球案内具２５等が配設されている。
【００２０】
前記始動入賞装置２０、特別入賞装置２１および普通入賞具２２には、各々に入賞したパチンコ球を検出する球検出スイッチが個別に配設されている(特別入賞装置２１に配設された球検出スイッチは図６に符号Ｓで指示するが、始動入賞装置２０および普通入賞具２２は図示省略する)。始動入賞装置２０に配設された球検出スイッチ、特別入賞装置２１に配設された球検出スイッチＳおよび普通入賞具２２に配設された球検出スイッチの各球検出信号は、前記設置部材９０の後側に取り付けられて当該パチンコ機Ｐを総合的に制御する主制御装置(図示せず)に送出される。前記主制御装置は、前記始動入賞装置２０の球検出スイッチからの検出信号を受けると、大当たり抽選を行なうと共に、前記設置部材９０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生した場合には、図柄表示装置Ｈの表示部Ｈ１での図柄変動演出の後に、該表示部Ｈ１に所定の図柄組合わせで図柄が停止表示され、前記特別入賞装置２１の開閉扉３１が開放位置に姿勢変位して入賞口３７が開放される(図６参照)。また主制御装置は、前記特別入賞装置２１の球検出スイッチＳからの検出信号を受けると、前記払出制御装置に制御信号を出力して前記球払出装置に所定数の賞球を払い出させる。更に主制御装置は、前記普通入賞具２２の球検出スイッチからの検出信号を受けると、前記払出制御装置に制御信号を出力して前記球払出装置に所定数の賞球を払い出させる。
【００２１】
(特別入賞装置)
前記特別入賞装置２１は、図３〜図１１に示すように、前記遊技盤Ｄの前記第１装着口１６に取り付けられ、前方に開口する入賞口３７を介してパチンコ球が入賞可能な入賞空間４６を内部に画成する装置本体(本体)３０と、装置本体３０に配設されて入賞口３７を開閉する開閉扉(開閉手段)３１と、該開閉扉３１を開閉動作させる開閉機構３２と、入賞口３７を介して入賞空間４６内に流入したパチンコ球を検出する前記球検出スイッチ(検出手段)３３を備えている。前記装置本体３０は、図５および図６に示すように、横長に形成された平板状の台板部３５と、該台板部３５の裏側に固定される本体部３６とから構成されており、遊技盤Ｄに開設された前記第１装着口１６内に本体部３６を前側から挿入した状態で、台板部３５を遊技盤Ｄの前面にネジ止めすることで遊技盤Ｄに固定されるようになっている。
【００２２】
ここで、実施例のパチンコ機Ｐの遊技盤Ｄは、図２および図３に示すように、第１装着口１６に取付固定された前記特別入賞装置２１が、遊技盤Ｄの遊技領域１０における左右中央の最下部に位置しており、該特別入賞装置２１の真上には、該特別入賞装置２１の入賞口３７の左右幅より幅狭に形成された前記始動入賞装置２０が配設されている。また遊技盤Ｄは、前記枠状装飾部材１５と前記盤面飾り部材１３との間に画成された流下経路が、遊技領域１０の中央底部に向けて特別入賞装置２１の下方へ延在していて、該流下経路に流入したパチンコ球は、始動入賞装置２０および該特別入賞装置２１には流入し得ない。そして、前記打球発射装置から発射されて、枠状装飾部材１５の左側領域を流下するたパチンコ球は、始動入賞装置２０が障害となって殆どが始動入賞装置２０の左側を流下して特別入賞装置２１の前方へ到来し、前記始動入賞装置２０の上方を右方へ移動した一部のパチンコ球は、該始動入賞装置２０の右側を流下して特別入賞装置２１の前方へ到来するようになる。従って実施例の特別入賞装置２１では、主に入賞口３７における左の開口端３７Ａ側へパチンコ球が到来し、該左の開口端３７Ａ側から入賞口３７を介して入賞空間４６へ該パチンコ球が流入するように構成されている。すなわち、実施例の前記始動入賞装置２０は、特別入賞装置２１へのパチンコ球の流入経路を規制する規制手段として機能する。
【００２３】
(台板部について)
前記台板部３５は、図５〜図８に示すように、後面の外縁部分が平坦に形成されて前記遊技盤Ｄの前面に当接する横長板状に形成され、横長矩形状の前記入賞口３７が、前後に開口するよう開設されている。台板部３５は、上縁の左右部が上方へ突出すると共に下縁の左右部が下方へ突出した形状に形成されており、左右上下の各突出部分には、装置本体３０を遊技盤Ｄに固定するネジ(図示せず)が挿通するネジ孔３８が１個ずつ形成されている。そして、台板部３５の後側には、前記入賞口３７を一回り大きく囲繞する横長の枠部３９が後方へ突設されており、この枠部３９には前記本体部３６の前端部分が整合するようになっている。また、台板部３５において、前記入賞口３７の上側において左右に延在する上縁部４０には、前側および入賞口３７側に開口する凹状の段部４０Ａが形成されており、前記開閉扉３１を閉鎖位置(後述)に変位した状態で、該開閉扉３１の自由端縁部３１Ａが該段部４０Ａの前面に当接するようになっている。なお、台板部３５の前面は、所要の加飾が施されている。
【００２４】
(本体部)
前記本体部３６は、図５〜図７および図９に示すように、複数の部材を組み付けて構成されている。すなわち本体部３６は、前記台板部３５の前記枠部３９に対し後方から当接する第１本体部材４２と、該第１本体部材４２に対し後側から取り付けられる第２本体部材４３と、該第２本体部材４３に対し後側から取付けられる第３本体部材４４との３部材から構成されている。そして本体部３６は、台板部３５の前記枠部３９に整合した第１本体部材４２を挟んで第２本体部材４３を該台板部３５にネジで組み付け、第３本体部材４４を該第２本体部材４３にネジで組み付けるように構成されている。前記第１本体部材４２、第２本体部材４３および第３本体部材４４は、透明の合成樹脂材から形成されており、本体部３６の後側等からの光の透過が可能となっている。なお、本体部３６は、成形上の都合や前記開閉機構３２の配設上に支障が発生しなければ、単一部材、２部材または４部材以上から構成してもよい。
【００２５】
本体部３６は、上方から見て略口字形に構成されていて、上下に貫通する開口４５が形成されており、特別入賞装置２１の上方に配設される前記始動入賞口３７に入賞したパチンコ球が前記開口４５を通過して下方へ落下するのを許容するようになっている。本体部３６の内部は、図９に示すように、該本体部３６内の前記入賞口３７に臨む前側部分から右側部分に亘って前記入賞空間４６が略Ｌ字形に形成され、該入賞空間４６における屈曲部分の左側には、前記球検出スイッチＳを設置するための第１設置部４７が設けられている。また、本体部３６の内部の左側部分には、前記開閉機構３２を配設する第２設置部４８が設けられている。更に、本体部３６の後部外側には、演出照明装置８０を取付けるための第３設置部４９が設けられている。
【００２６】
(入賞空間)
前記入賞空間４６は、図７、図９〜図１１に示すように、前記入賞口３７の開口領域内に連通するよう前側が開口して該入賞口３７からのパチンコ球の流入が可能な第１球通路５０と、前記第１球通路５０の右側に連通するよう前から後方に延在する第２球通路５１とからなる。そして、前記第２球通路５１の後部には、前記本体部３６の底部を貫通して外方へ開口する球排出口５２が形成されている。従って、入賞口３７の前側に移動したパチンコ球は、図１２に示すように、該入賞口３７から第１球通路５０内へ流入した後、該第１球通路５０内を右方へ移動して第２球通路５１の前側へ移動し、該第２球通路５１内を後方へ移動して前記球排出口５２を介して外部へ排出されるようになっている。なお、第１球通路５０の底面５０Ａは、入賞口３７における左の開口端３７Ａ側に臨む側が最も高く、第１球通路５０は右下がりに傾斜する一方、第２球通路５１の底面５０Ｂは、前側が前記底面５０Ａより低くかつ後下がりに傾斜しており、入賞空間４６は前記球排出口５２に向けて緩やかな下り勾配となるように形成されているので、該入賞空間４６に流入したパチンコ球が円滑に球排出口５２へ案内されるようになっている。
【００２７】
また、図７および図９に示すように、前記第２球通路５１の内部には、前記第１球通路５０と連通する位置に、第１球通路５０から第２球通路５１に向けて凹状の曲面をなす第１案内片５３が形成されている。この第１案内片５３は、第１球通路５０から第２球通路５１に移動したパチンコ球を、該第２球通路５１の後方へ円滑に変向させるよう機能する。また、図１０に示すように、第２球通路５１の後側における球排出口５２の上部には、該第２球通路５１から前記球排出口５２に向けて凹状の曲面をなす第２案内片５４が形成されている。この第２案内片５４は、第２球通路５１を移動したパチンコ球を、球排出口５２側(下方)へ円滑に変向させるよう機能する。
【００２８】
(球検出スイッチ)
前記球検出スイッチＳは、図９および図１０に示すように、長方形のブロック状に形成されたケース体５５に、パチンコ球の通過が許容される形状、サイズに開口した球検出口５６と、スイッチ基板(図示せず)を収容する収容部５７とが、該ケース体５５の長手方向に並んで設けられている。球検出口５６は、ケース体５５の厚み方向(高さ方向)に貫通するように形成されたリング状の球検知センサ５８により形成されている。この球検知センサ５８は前記スイッチ基板と電気的に接続されており、前記スイッチ基板から導出された配線５９は、前記設置部材９０の後側に配設された中継基板(図示せず)に接続されて、該中継基板を介して前記主制御装置に電気的に接続されている。従って、前記球検出口５６をパチンコ球が通過すると前記球検知センサ５８がこれを検出し、前記スイッチ基板から主制御装置へ検出信号が送出される。
【００２９】
前記球検出スイッチＳが設置される前記第１設置部４７は、図７〜図１０に示すように、遊技領域１０から前記入賞口３７を介して該入賞空間４６内へ流入するパチンコ球の主たる流入方向の下流側、すなわち該入賞口３７の右の開口端３７Ｂに臨む部位に位置している。そして第１設置部４７は、前記球検出スイッチＳを、パチンコ球が通過する球検出口５６が入賞空間４６の前記第１球通路５０に整合した縦向き姿勢で保持するように構成されている。ここで縦向き姿勢とは、前記入賞空間４６の第１球通路５０におけるパチンコ球の移動方向と、球検出スイッチＳの球検出口５６におけるパチンコ球の通過方向とを一致させた状態を意味する。すなわち球検出スイッチＳは、パチンコ球が通過する球検出口５６を、入賞口３７における該パチンコ球が主として流入する左の開口端３７Ａ側へ向けた状態で配置されている。従って、入賞口３７の左の開口端３７Ａ側から入賞空間４６の第１球通路５０内へ流入したパチンコ球は、該第１球通路５０内を右方へ移動して前記球検出スイッチＳの球検出口５６を通過した後、第２球通路５１へ移動して前記球排出口５２を介して外部へ迅速に排出されるよう構成されている。なお、第１設置部４７の前側には、該第１設置部４７に配置した球検出スイッチＳのケース体５５に係止する保持片６３が配設され、該該ケース体５５はこの保持片６３により安定的に保持されるようになっている。
【００３０】
また前記第１設置部４７は、図９および図１１に示すように、第１球通路５０の底面が右下がりの傾斜に形成されていることに伴い、該第１球通路５０の底面に対して垂直の姿勢となるように球検出スイッチＳを保持するようになっている。すなわち、第１設置部４７に設置した球検出スイッチＳは、下側より上側が僅かに右側へ偏倚して右側へ傾いた状態で保持されており、これにより前記球検出口５６は、第１球通路５０の傾斜に合わせて傾いている。従って、入賞空間４６の第１球通路５０を右方へ移動するパチンコ球は、球検出スイッチＳの前記球検出口５６をスムーズに通過するようになり、該パチンコ球が球検出口５６の開口縁に接触して引掛かることが防止される。
【００３１】
(案内部)
また、実施例の特別入賞装置２１では、図６〜図９および図１２に示すように、本体部３６内の入賞空間４６における入賞口３７に臨む第１球通路５０に、前記入賞口３７から前記球検出スイッチＳに向けて延在する案内部６０が設けられている。前記案内部６０は、その左端が前記入賞口３７における左の開口端３７Ａ側に隣接すると共に、その右端が前記球検出スイッチＳの左側に隣接している。また前記案内部６０は、その左端が入賞口３７に最も近く、前記球検出スイッチＳに近づくにつれて該入賞口３７から遠ざかるように設けられている。
【００３２】
そして前記案内部６０は、図６〜図９および図１２に示すように、左右方向における中途において、左側に位置する第１案内壁６１と右側に位置する第２案内壁６２とに分割されている。前記第１案内壁６１は、図９および図１２に示すように、本体部３６の上壁に下方へ突出するように設けられ、パチンコ球を当て受けて案内する球案内面６１Ａを前部に備えている。前記球案内面６１Ａは、その左端が前記入賞口３７の直後に位置し、右方に行くにつれて後方へ変位すると共に下方に行くにつれて後方へ変位するよう傾斜状に形成されている。このように第１案内壁６１を本体部３６の上壁に設けたのは、特別入賞装置２１の左上方から開閉扉３１に落下して跳ね上がったパチンコ球を、該第１案内壁６１で当て受けると共に、安定させて入賞空間４６内へ導くようにするためである。
【００３３】
前記第２案内壁６２は、図９および図１２に示すように、前記第１案内壁６１より後方において、本体部３６の下壁に上方へ突出するように設けられ、パチンコ球を当て受けて案内する球案内面６２Ａを前部に備えている。前記球案内面６２Ａは、右方に行くにつれて後方へ変位すると共に、上方に行くにつれて後方へ変位するよう傾斜状に形成されている。しかも前記球案内面６２Ａは、図９および図１２に示すように、球検知スイッチＳから離れた端部(左端)においては前記底面５０Ａに対する傾斜角度が最も大きく(急傾斜)、該球検知スイッチＳに近づくにつれて底面５０Ａに対する傾斜角度が漸次小さくなり、前記球検出スイッチＳに近接した端部(右端)においては底面５０Ａに対する傾斜角度が最も小さく(緩傾斜)なるように形成されている。このように第２案内壁６２の球案内面６２Ａを形成したのは、入賞空間４６内に流入して該球案内面６２Ａに接触したパチンコ球を、加速させながら球検知スイッチＳに向けて導くようにして、該パチンコ球の検出および排出を早くするためである。
【００３４】
従って実施例の特別入賞装置２１は、入賞口３７における左の開口端３７Ａ側に落下したパチンコ球を、前記案内部６０の第１案内壁６１で安定化させながら入賞空間４６の第１球通路５０内へ案内し、該第１球通路５０内へ流入した該パチンコ球を、前記案内部６０の第２案内壁６２で右方へ案内して球検出スイッチＳへ案内する。なお、案内部６０は、本体部３６の上壁に下方へ突出した案内壁だけで構成してもよいし、本体部３６の下壁に上方へ突出した案内壁だけで構成してもよいし、本体部３６の上壁から下壁に亘って連設した案内壁で構成してもよい。
【００３５】
(開閉扉)
前記開閉扉３１は、図２、図５〜図１０に示すように、前記入賞口３７の開口形状に略合致する横長矩形板状に形成されて、その左右側端の下部には側外方へ反対向きに突出する支軸６５,６５が設けられている。そして開閉扉３１は、前記両支軸６５,６５を前記台板部３５および本体部３６の間に挟持させることで、揺動自在な状態で本体部３６の前側に取り付けられている。すなわち、前記開閉扉３１は、略垂直状態まで起立して、自由端縁部３１Ａが上方へ延出して前記入賞口３７を閉鎖する閉鎖位置(図５、図７、図８参照)と、水平近くまで前方へ回転して、自由端縁部３１Ａが前方へ延出して該入賞口３７を開放する開放位置(図６、図９参照)との間で姿勢変位する。ここで前記開閉扉３１は、該開閉扉３１の前面の左右両側に、前方へ突出したストッパ６７,６７が設けられている。これらストッパ６７は、図１１に２点鎖線で示すように、開閉扉３１が開放位置まで変位すると両ストッパ６７が台板部３５の前面に当接して、パチンコ球を受け止めた該開閉扉３１が開放位置より下方へ過回転することが防止されるようになっている。また、前記開閉扉３１の左下端部には、前記閉鎖位置にある状態で水平後方へ開口する連係凹部６６が形成されており(図６、図９、図１１参照)、この連係凹部６６には、前記開閉機構３２の連係部材７２が連係接続するよう構成されている。更に、図６および図１２に示すように、開閉扉３１の裏面における左側には、該開閉扉３１の開放状態において、自由端縁部３１Ａから入賞空間４６側に向かうにつれて右方へ変位する傾斜案内面６８が形成されると共に、該開閉扉３１の裏面における右側には、自由端縁部３１Ａから入賞空間４６側に向かうにつれて左方へ変位する傾斜案内面６８が形成されている。これにより、開閉扉３１の左側または右側に落下したパチンコ球は、前記傾斜案内面６８で入賞口３７の左右中央方向へ案内される。
【００３６】
(開閉機構)
前記開閉機構３２は、図９および図１１に示すように、ソレノイド７０と、このソレノイド７０のプランジャ７１に連係されると共に前記開閉扉３１の連係凹部６６に連係される連係部材７２とを備えている。前記ソレノイド７０は、前記第２設置部４８における後部に、前記プランジャ７１を水平前方へ延出させた状態で設置されている。このソレノイド７０は、前記プランジャ７１に圧縮コイルバネ７３が配設されており、非励磁状態では前記圧縮コイルバネ７３の弾性力によりプランジャ７１が前方へ延出した状態保持され、励磁状態では該プランジャ７１が圧縮コイルバネ７３の弾性力に抗して後方へスライドするように構成されている。
【００３７】
前記連係部材７２は、図９および図１１に示すように、後方が前記プランジャ７１の先端に係合する本体部７４と、本体部７４の左右側面から左方および右方へ同一軸線上で延出する支軸部７５,７５と、前記本体部３６の前面から前方へ延出して前記開閉扉３１の連係凹部６６に後方から突入係合するレバー部７６とを備えている。前記プランジャ７１は、前記本体部３６の後方上部に係合し、前記各支軸部７５,７５およびレバー部７６は、前記プランジャ７１の係合位置より下方に設けられている。そして連係部材７２は、前記本体部３６における第２設置部４８の左右両部に設けた支持孔７７,７７に前記両支軸部７５,７５を枢支させることで、両支軸部７５,７５を回転中心として前後に回転可能に配設される。従って前記連係部材７２は、前記ソレノイド７０の非励磁状態においては前記レバー部７６が水平前方へ延出する姿勢に保持され、該レバー部７６と前記連係凹部６６の下壁との係合により前記開閉扉３１を前記閉鎖位置に保持する。また前記連係部材７２は、前記ソレノイド７０が励磁されると、前記レバー部７６が前上がりの傾斜状に延出する姿勢に変位し、該レバー部７６が前記連係凹部６６の上壁を上方へ押し上げることにより前記開閉扉３１を前記開放位置に向けて姿勢変位させ得る。
【００３８】
(演出照明装置)
前記演出照明装置８０は、図７に示すように、前方に向けて光を照射する複数のＬＥＤ８１を実装した基板８２と、前記基板８２に接続されて図示省略した中継基板に接続される配線８３とを備えており、前記ＬＥＤ８１を本体部３６の後壁に対向させた姿勢で前記第３設置部４９に配設されている。これにより、演出照明装置８０のＬＥＤ８１を発光させた際には、その照射光が装置本体３０(本体部３６)の後壁面を透過して入賞空間４６内を照明すると共に、開放した前記入賞口３７を介して遊技盤Ｄの前方を照射するように構成されている。
【００３９】
(実施例の作用)
実施例のパチンコ機Ｐは、前述したように、操作ハンドルＧにより発射操作を行なうことで打球発射装置が作動し、上球皿Ｅ内に貯留された各パチンコ球が、遊技盤Ｄの遊技領域１０内へ所定間隔で打ち出される。遊技領域１０へ打ち出された各パチンコ球は、該遊技領域１０における前記枠状装飾部材１５の左側部分を、前記球案内釘２３や回転球案内具２５等に接触しながら流下し、該パチンコ球の一部は、前記始動入賞装置２０の始動入賞口２０Ａや普通入賞具２２の入賞口２２Ａに入賞する。前記始動入賞装置２０にパチンコ球が入賞して、該始動入賞装置２０の球検出スイッチからの検出信号を前記主制御装置が受信すると、該主制御装置は、大当たり抽選を行なう一方、統括制御装置に制御信号を出力して前記図柄表示装置Ｈに図柄変動演出を行なわせると共に、前記中枠Ｂの後側に配設された払出制御装置に制御信号を出力して、球払出装置に所定数の賞球を払い出させる。
【００４０】
前記主制御装置における前記大当たり抽選の結果として、所定の大当たり条件が発生した場合には、図柄表示装置Ｈの表示部Ｈ１での図柄変動演出の後に、該表示部Ｈ１に所定の図柄組合わせで図柄が停止表示されると共に、前記特別入賞装置２１のソレノイド７０が励磁制御される。これにより特別入賞装置２１では、ソレノイド７０の前記プランジャ７１が後退することで、前記開閉扉３１が前記開放位置に姿勢変位して入賞口３７が開放される。
【００４１】
遊技領域１０へ打ち出して枠状装飾部材１５の左側部分を流下した各パチンコ球は、特別入賞装置２１の直上に前記始動入賞口２０が位置していることにより、主に特別入賞装置２１の左上方や左側方から該特別入賞装置２１の前側へ到来するようになる。従って、特別入賞装置２１の前側へ到来したパチンコ球は、図１２に示すように、開放位置に保持されている前記開閉扉３１で受け止められた後に、主に前記入賞口３７における左の開口端３７Ａ側から本体部３６内に形成された前記入賞空間４６の第１球通路５０内へ流入する。始動入賞装置２０の上方を右方へ移動したパチンコ球は、該始動入賞装置２０の右方を流下して、特別入賞装置２１の右上方から該特別入賞装置２１の前方へ到来して、前記開閉扉３１で受け止められた後、前記傾斜案内面６８で入賞口３７における左の開口端３７Ａ側へ案内され、前記入賞空間４６の第１球通路５０内へ流入する。
【００４２】
前記入賞口３７の左の開口端３７Ａ側から前記入賞空間４６の第１球通路５０へ流入したパチンコ球は、図９に示すように、流下時の勢いにより右方へ移動すると共に、前記案内部６０における第１案内壁６１または第２案内壁６２に接触するようになる。第１案内壁６１に接触したパチンコ球は、安定化された状態で入賞空間４６の第１球通路５０へ流入した後、第２案内壁６２で案内されて加速しながら該第１球通路５０を右方へ移動するようになる。そして、第２案内壁６２に案内されて第１球通路５０を右方へ移動したパチンコ球は、前記球検出スイッチＳの球検出口５６を通過し、この通過時に球検出センサ５８で検出される。球検出スイッチＳは、球検出センサ５８によりパチンコ球を検出すると、検出信号を前記主制御装置へ送出する。
【００４３】
球検出スイッチＳの球検出口５６を通過したパチンコ球は、前記第１案内片５３に案内されて第２球通路５１に向けて変向され、該第２球通路５１内を後方へ移動した後、前記第２案内片５４で案内されて前記球排出口５２に向けて変向されて、該球排出口５２を介して本体部３６から外方へ迅速に排出される。
【００４４】
前記入賞口３７を介して入賞空間４６内に流入した各パチンコ球が前記球検出スイッチＳで順次検出されて、予め設定された規定数のパチンコ球を該球検出スイッチＳが検出したら、前記ソレノイド７０に対する励磁制御が解除される。これにより、ソレノイド７０の前記プランジャ７１が圧縮コイルバネ７３の付勢により前方へ移動するので、前記連係部材７２の姿勢変位に連動して開閉扉３１が閉鎖位置へ回転することで入賞口３７が閉鎖され、該入賞口３７を介して入賞空間４６へのパチンコ球の流入が阻止される。
【００４５】
前述した実施例のパチンコ機Ｐでは、前記球検出スイッチＳの球検出口５６を、入賞口３７においてパチンコ球が主として流入する左の開口端３７Ａ側と反対側の右の開口端３７Ｂ側に、球検出口５６を該左の開口端３７Ａに向けた状態で第１設置部４７に配置して、入賞口３７から入賞空間４６へ流入したパチンコ球を、入賞空間４６内に設けた案内部６０で前記球検出口５６に向けて右方へ移動させるように構成した。従って、入賞口３７を介して入賞空間４６内に流入したパチンコ球が、球検出スイッチＳの球検出口５６をスムーズに通過させるようにすることができ、当該パチンコ球の検出が迅速になされる。これにより前記特別入賞装置２１では、予め設定された規定数のパチンコ球が入賞口３７から入賞空間４６内に流入し、該規定数のパチンコ球が球検出スイッチＳで検出されると、開閉機構３２のソレノイド７０による励磁が解除されることで開閉扉３１が迅速に閉動作される。従って、入賞口３７を通過する時点から球検知スイッチＳで検出されるまでの時間が短くなるから、規定数のパチンコ球が球検知スイッチＳで検知されて開閉扉３１を閉鎖位置に変位させることで、規定数以上のパチンコ球が入賞空間４６内に流入することを好適に阻止し得る。また、入賞空間４６内に複数のパチンコ球が同時に流入しても、該入賞空間４６の第１球通路５０内でパチンコ球の球詰まりが発生し難く、各パチンコ球を迅速に検出することができる。
【００４６】
そして、実施例の特別入賞装置２１では、前記入賞空間４６の第１球通路５０に、入賞口３７から球検出スイッチＳに向けて延在する案内部６０が設けられているので、該入賞口３７から入賞空間４６の第１球通路５０へ流入した遊技球を、該案内部６０の第１案内壁６１および第２案内壁６２で前記球検出スイッチＳに向けて適切に案内し得る。しかも案内部６０は、入賞口３７における左の開口端３７Ａ側が該入賞口３７に最も近く、球検出スイッチＳに近づくにつれて該入賞口３７から遠ざかるように設けられているから、該入賞口３７を介して入賞空間４６の第１球通路５０へ流入したパチンコ球を球検出スイッチＳに向けてスムーズに案内することができる。更に、案内部６０における第２案内壁６２の球案内面６２Ａは、球検知スイッチＳに近づくにつれて第１球通路５０の底面５０Ａに対する後方への傾斜角度が漸次小さくなるように形成されているので、第１球通路５０を球検知スイッチＳに向けて移動するパチンコ球が加速されるようになり、球検出スイッチＳによる検出タイミングを早めることができる。
【００４７】
更に実施例の特別入賞装置２１では、入賞空間４６をＬ字形に形成して、球検出スイッチＳで検出された後のパチンコ球を後方へ変向させるようにしたので、装置本体３０を従来と同じ外形サイズに構成することができ、遊技盤Ｄの第１装着口１６の形状を変更する必要がない。更に前記案内部６０は、本体部３６を構成する第１本体部材４２における入賞空間４６に臨む上壁に設けた第１案内壁６１および第２本体部材４３における該入賞空間４６に臨む下壁に設けた第２案内壁６２とから構成され、これら第１案内壁６１および第２案内壁６２が本体部３６に一体に形成されているので、製造工数や部品点数が増加することがなく、よって製造コストが嵩むことを防止し得る。
【００４８】
(変更例)
本発明に係る遊技機は、実施例に例示の形態に限らず種々の変更が可能である。
（１）遊技領域１０の右下に特別入賞装置２１が配設された遊技盤Ｄ(図１４参照)を備え、所定の大当たり条件が発生した場合に、前記操作ハンドルＧの操作により打球発射力を強めた所謂「右打ち状態」として前記枠状装飾部材１５の右側へパチンコ球を打ち出すタイプのパチンコ機において、上部に配設される規制手段として機能する遊技部品との関係から、遊技領域１０から入賞口３７を介して入賞空間４６内へ流入するパチンコ球の主たる流入方向が該入賞口３７の右の開口端３７Ｂ側となる場合には、図１３(ａ)および図１３(ｂ)に示すように、前記球検出スイッチＳの配置位置を、該入賞口３７の下流側である左の開口端３７Ａ側としてもよい。なお、このような構成とする場合には、前記開閉機構３２の配設位置も左右逆となる。また、入賞空間４６の第１球通路５０の底面が左下がりの勾配となることに伴い、第１設置部４７に設置された球検出スイッチＳも、左側へ傾斜した姿勢とすることが好適である。
（２）球検出スイッチＳは、パチンコ球が通過する前記球検出口５６が、入賞口３７におけるパチンコ球が主として流入する左の開口端３７Ａ側に向いた状態で第１設置部４７に配置するようにすれば、前記実施例のようにケース体５５の長手方向が前後方向に延在する向きで配置する形態に限定されず、該ケース体５５の長手方向が上下方向に延在する向きで配置する形態であってもよい。この場合、前記球検出口５６の上方に収容部５７が位置するようにしてもよいし、該球検出口５６の上方に収容部５７が位置するようにしてもよい。
（３）入賞空間４６は、実施例のようにＬ字形に延在するものに限定されず、前記第１球通路５０だけから構成されて、前記球検出スイッチＳの右側に隣接して球排出口５２が形成されていてもよい。
（４）案内部６０は、前記第１案内壁６１を本体部３６の下壁に入賞空間４６へ突出するように設けると共に、前記第２案内壁６２を本体部３６の上壁に入賞空間４６へ突出するように設けてもよい。また案内部６０は、前記本体部３６内の下壁だけに入賞空間４６へ突出するように設けてもよいし、前記本体部３６内の上壁だけに入賞空間４６へ突出するように設けてもよい。更に案内壁６０は、本体部３６の下壁および上壁に連設して、第１球通路５０の後側を塞ぐように設けてもよい。
（５）開閉手段は、実施例で例示した前後に揺動する開閉扉に限定されず、左右に揺動する揺動片から構成したものであってもよい。
（６）開閉扉３１を開閉動作する開閉機構３２の駆動手段は、ソレノイドに限らず、流体を使用するアクチュエータや、モーター等であってもよい。
（７）実施例では、遊技機としてのパチンコ機を示したが、遊技機はパチンコ機に限られるものではなく、アレンジボール機等であってもよい。
【符号の説明】
【００４９】
１０ 遊技領域，２１ 特別入賞装置(入賞装置)，３０ 装置本体(本体)
３１ 開閉扉(開閉手段)，３７ 入賞口，
３７Ａ 左の開口端(遊技球が主として流入する開口端)
３７Ｂ 右の開口端(遊技球が主として流入する開口端と反対側の開口端)
４６ 入賞空間，５６ 球検出口，６０ 案内部，Ｄ 遊技盤
Ｓ 球検出スイッチ(検出手段)
【図１】
2013059478.tif 000003
【図２】
2013059478.tif 000004
【図３】
2013059478.tif 000005
【図４】
2013059478.tif 000006
【図５】
2013059478.tif 000007
【図６】
2013059478.tif 000008
【図７】
2013059478.tif 000009
【図８】
2013059478.tif 000010
【図９】
2013059478.tif 000011
【図１０】
2013059478.tif 000012
【図１１】
2013059478.tif 000013
【図１２】
2013059478.tif 000014
【図１３】
2013059478.tif 000015
【図１４】
2013059478.tif 000016